(57)【要約】【課題】アクティブマトリクス型表示装置に関し、光放出素子の劣化を最小限に抑え、且つ、動画表示において生じるエッジぼけの現象を解消すること。【解決手段】表示パネル１２の複数のデータ線２０と複数のスキャン線２１に走査信号を印加する走査駆動回路１７，１８と、異なるフレームの画像信号のデータを比較して静止画か動画のいずれかを判別して静止画と動画のいずれかの判別信号を出力する信号判別回路１４と、信号判別回路１４からの判別信号が静止画の場合には１フレーム中の光放出素子の光放出の強度を第１の値に設定し、判別信号が動画の場合には１フレーム中の途中で光放出素子の光放出を停止して消光するとともに光放出素子の光放出の強度を第１の値よりも高い第２の値に設定する信号を走査駆動回路１７，１８に送る制御回路１５を含む。【選択図】図３
2004144928.tif 000002
【特許請求の範囲】
【請求項１】
複数のスキャン線と複数のデータ線の交差領域にそれぞれ配置され且つ画素電極を有する光放出素子と該光放出素子への信号をオン、オフする能動素子とを有する表示パネルと、
前記データ線にデータ信号を印加するデータ駆動回路と、
前記スキャン線に走査信号を印加する走査駆動回路と、
異なるフレームの画像信号のデータを比較して静止画か動画のいずれかを判別して静止画と動画のいずれかの判別信号を出力する信号判別回路と、
前記信号判別回路からの前記判別信号が前記静止画の場合には１フレーム中の前記光放出素子の光放出の強度を第１の値に設定し、前記判別信号が前記動画の場合には１フレーム中の途中で前記光放出素子の光放出を停止して消光するとともに前記光放出素子の光放出の強度を前記第１の値よりも高い第２の値に設定する信号を前記走査駆動回路に送る制御回路と
を有することを特徴とするアクティブマトリクス型表示装置。
【請求項２】
前記光放出素子は有機発光素子であることを特徴とする請求項１に記載のアクティブマトリクス型表示装置。
【請求項３】
前記判別信号が前記動画の場合の前記光放出の前記第２の値は、前記１フレーム中における前記途中までの発光時間とその後の前記消光の時間の和を前記発光時間で割った値に前記第１の値をかけた大きさであることを特徴とする請求項２に記載のアクティブマトリクス型表示装置。
【請求項４】
前記信号判別回路からの信号に基づいて、前記光放出素子に印加する電圧又は電流を変化させて前記光放出素子の前記光放出量を制御する光放出強度変更回路が前記制御回路に設けられていることを特徴とする請求項１乃至請求項３のいずれかに記載のアクティブマトリクス型表示装置。
【請求項５】
前記制御回路は、前記消光の際には、前記画像信号のγ特性も変化することを特徴とする請求項１乃至請求項４のいずれかに記載のアクティブマトリクス型表示装置。
【発明の詳細な説明】
【０００１】
【発明の属する技術分野】
本発明は、アクティブマトリクス型表示装置に関し、より詳しくは、有機半導体膜などからなる発光素子とこの発光素子の発光動作を制御するトランジスタとを有するアクティブマトリクス型の表示装置に関する。
【０００２】
【従来の技術】
近年、液晶ディスプレイ（以下、ＬＣＤという。）に代表される薄型ディスプレイは種々の電気製品に組み込まれており、需要を拡大している。これら薄型ディスプレイの中でも、自発光型のディスプレイであり、視野角が広く、輝度、コントラストも高い有機ＥＬ素子（以下、ＯＥＬＤという。）は、液晶にかわる次世代のディスプレイとして注目を集めている。
【０００３】
ＯＥＬＤの駆動方式として、一般に、アクティブマトリクス駆動型と単純マトリクス駆動型がある。ＯＥＬＤでは、電力効率を高めるためにＬＣＤ同様にアクティブマトリクス型駆動方式を採用するものが多い。
【０００４】
アクティブマトリクス型表示装置は、一般に、画像信号が供給されるｎ本のデータ線と、走査信号が供給されるｍ本の走査線（ゲート線）を画素表示領域に配置し、データ線と走査線の各交差点近傍に画素を配置するとともに、１つの画素について２つのＴＦＴと１つの蓄積容量を接続する構造を有している。
【０００５】
複数の走査線には、順次、走査信号が周期的に印加される。
【０００６】
図１はアクティブマトリクス型駆動方式を用いた代表的なＯＥＬＤの画素内の回路である。スキャン線６とデータ線５の交差部近傍に画素が配置されている。スキャン線６には、ＴＦＴ（Ｔｈｉｎ　Ｆｉｌｍ　Ｔｒａｎｓｉｓｔｏｒ）よりなるスイッチ用トランジスタ１のゲートが接続されており、スキャン線６を介して送られる走査信号によって、スイッチ用トランジスタ１はオン，オフを切り替えられる。
【０００７】
スイッチ用トランジスタ１がオンの時、データ線５を介して送られる画像信号がスイッチ用トランジスタ１を通ってドライブ用トランジスタ２のゲートに印加されるとともにストレージキャパシタ３に電荷として蓄えられる。ドライブ用トランジスタ２のゲートに画像信号が印加されるとドライブ用トランジスタ２がオンしてＯＥＬＤ素子４に電流が流れてＯＥＬＤ素子４が発光する。また、スキャン線６に送られる走査信号が低レベルになってスイッチ用トランジスタ１がオフしても、ストレージキャパシタ３に蓄えられた電荷によって、ＴＦＴよりなるドライブ用トランジスタ２のゲート電圧は保持されるので、ＯＥＬＤ素子４には次のフレームまで電流が流れ続けて発光する。
【０００８】
このようにスキャン線６が垂直方向の走査を終え、すべてのスキャン線６に順に走査信号が送られると、すべての画素は各々の画像信号に応じて発光し、１フレームの画像が表示される。そして、次のフレームを表示する為に、再び最初のスキャン線６から走査を始める。
【０００９】
一般的に、１　秒間に６０フレームが表示され、１フレームは１／６０秒間を割り当てられる。選択された画素ではスイッチ用トランジスタ１がオフに切り替わっても電荷が保持された状態であるから、図２（ａ）　のように、ＯＬＥＤ素子は１／６０秒の１フレームにおいて連続して発光する。このような表示方式はホールド型と呼ばれる。
【００１０】
ホールド型の表示方式ではエッジぼけが問題となっている。エッジぼけとは、動物体の端部がぼやけて見える現象であり、人間が連続する画像を足し合わせて知覚するために生じる。これを解消するために、特許文献１では各走査線に走査信号を印加した後に、各画素のＯＥＬＤに消光期間を設けることにより、消光期間中の視線移動時に白背景の積分がなくなってエッジのぼけを防止する構造が採用されている。
【００１１】
【特許文献１】
特開２００２−９１３７６
【００１２】
【発明が解決しようとする課題】
しかし、上記のようにエッジぼけ防止の為に消光期間を設けると、発光時間が短くなるため、表示輝度が弱くなってしまう。従って、表示輝度を補償するために、発光強度を強くすることが、例えば特許文献１に記載されている。特許文献１では、図２（ｂ）　のように、消光期間を設ける装置において、ＯＥＬＤに流れる電流値を従来よりも高くすることによって画像が暗くなることを防止している。
【００１３】
しかしながら、ＯＥＬＤが発光する時にはＯＥＬＤには常に大きな電流が流れるので、画素における発熱量が大きくなるなどの原因によりＯＥＬＤが早く劣化して、表示装置の寿命が短くなってしまう。
【００１４】
本発明の目的は、光放出素子の劣化を最小限に抑え、且つ、動画表示において生じるエッジぼけの現象を解消することができるアクティブマトリクス型表示装置を提供することにある。
【００１５】
【課題を解決するための手段】
上記した課題は、複数のスキャン線と複数のデータ線の交差領域にそれぞれ配置され且つ画素電極を有する光放出素子と該光放出素子への信号をオン、オフする能動素子とを有する表示パネルと、前記データ線にデータ信号を印加するデータ駆動回路と、前記スキャン線に走査信号を印加する走査駆動回路と、異なるフレームの画像信号のデータを比較して静止画か動画のいずれかを判別して静止画と動画のいずれかの判別信号を出力する信号判別回路と、前記信号判別回路からの前記判別信号が前記静止画の場合には１フレーム中の前記光放出素子の光放出の強度を第１の値に設定し、前記判別信号が前記動画の場合には１フレーム中の途中で前記光放出素子の光放出を停止して消光するとともに前記光放出素子の光放出の強度を前記第１の値よりも高い第２の値に設定する信号を前記走査駆動回路に送る制御回路とを有することを特徴とするアクティブマトリクス型表示装置によって解決される。
【００１６】
本発明によれば、動画と静止画を識別し、動画を表示する場合は消光時間を設け且つ光放出素子の発光強度を高くし、静止画を表示する場合は消光時間を設けずに光放出素子の発光強度を小さくする制御回路を設けている。
【００１７】
従って、表示パネルへの電流又は電圧の大きさを抑える時間を設けることにより光放出素子の劣化を抑制するとともに、動画像及び静止画のいずれの表示でもエッジぼけの現象を解消することができる。
【００１８】
【発明の実施の形態】
以下、添付した図面に基づいて、本発明の実施例を説明する。
【００１９】
図３は本発明のアクティブマトリクス型表示装置のブロック図である。
【００２０】
図３において、表示装置１０は表示部Ａと制御部Ｂから構成されている。
【００２１】
表示部Ａにおいて、表示パネル１２にはＭ本のデータ線２０が間隔をおいて形成され、データ線２０にはデータ駆動回路１６が接続されて画像信号が供給される。また、表示パネル１２には、各データ線２０に絶縁されて交差するＮ本の書込用スキャン線２１とＮ本の電流供給線２２が間隔をおいて交互に形成されている。
【００２２】
書込用スキャン線２１は、表示パネル１２の一側方に配置された書込用走査駆動回路１７に接続されて書込用走査信号が供給される。また、電流供給線２２は、表示パネル１２の他側方に配置された電流用走査駆動回路１８に接続されて電流が供給される。
【００２３】
また、表示パネル１２においては、書込用スキャン線２１、電流供給線２２及びデータ線２０により区画される複数の領域がそれぞれ画素領域２３となり、画素領域２３の個数はデータ線２０の本数と書込用スキャン線２１の本数に対応するＭ×Ｎ個となる。
【００２４】
画素領域２３には、図４に示すように、スイッチ用トランジスタ５１、ドライブ用トランジスタ５２、ストレージキャパシタ５３、ＯＥＬＤ素子５４が形成されている。スイッチング用トランジスタ５１、ドライブ用トランジスタ５２としてそれぞれＴＦＴが適用される。また、ＯＥＬＤ素子５４は、有機発光層を画素電極と共通電極によって挟む構造（不図示）となり、等価回路としては発光ダイオードとして示される。
【００２５】
スイッチング用トランジスタ５１のうちゲートは書込用スキャン線２１に接続され、ソース／ドレインの一方はデータ線２０に接続され、ソース／ドレインの他方はドライブ用トランジスタ５２のゲートに接続されている。ドライブ用トランジスタ５２のソース／ドレインの一方はＯＥＬＤ素子５４のカソードに接続され、他方は共通電位線５７に接続されている。ＯＥＬＤ素子５４のアノードは電流供給線２２に接続されている。また、ストレージキャパシタ５３は、ドライブ用トランジスタ５２のゲートと共通電極線５７の間に接続されて、データ駆動回路１６から送られる画像信号を電荷として蓄える。共通電位線５７は、表示パネル１２内に形成されてＯＥＬＤ素子５４の発光時には電流供給線２２よりも電圧が低い固定電位源（不図示）に接続される。電流用走査駆動回路１８から電流供給線２２に流す電流は、表示制御回路１５による電流又は電圧制御により、静止画表示の場合よりも動画表示の場合に大きくなるように変えられる。なお、ＯＥＬＤ素子５４のカソードは画素電極であり、アノードが共通電極となる。
【００２６】
上記した制御部Ｂは、画像メモリ１３、信号判別回路１４及び表示制御回路１５を有している。
【００２７】
画像メモリ１３は、画像信号のデータを記憶してその画像データを表示制御回路１５を介してデータ駆動回路１６に送るとともに信号判別回路１４にも送る構成となっている。
【００２８】
信号判別回路１４は、図５に示すように、画像メモリ１３から出力された画像信号のデータを記憶する第１及び第２のメモリ３１，３２と、第１及び第２のメモリ３１，３２にそれぞれ記憶されたデータを比較する比較回路３３と、比較回路３３の出力に基づいて静止画か動画のいずれかを判定する動画・静止画判定回路３４とを有している。
【００２９】
第１のメモリ３１は画像信号のデータうちｎフレーム目（ｎは整数）の全てを記憶し、また、第２のメモリ３２は画像信号のデータうち（ｎ＋ｘ）フレーム目（ｎ、ｘは整数）の全てを記憶し、第１のメモリ３１と第２のメモリ３２にそれぞれ格納されたデータは同期させて信号判別回路１４に出力される。フレーム数は、外部から入力する垂直クロックに基づいてカウントされる。
【００３０】
また、比較回路３３は、第１のメモリ３１からの画像信号データと第２のメモリ３２からの画像信号データとを比較してそれらの画像信号データが一致する割合を求め、その割合のデータを動画・静止画判定回路３４に出力する構成となっている。
【００３１】
さらに、動画・静止画判定回路３４は、比較回路３３からの割合のデータが、所定値、例えば２０％以上の場合には静止画であり、それよりも低い場合には動画であると判定し、動画と判定した場合に例えば「１」の信号を表示制御回路１５に送り、静止画と判定した場合に例えば「０」の信号を表示制御回路１５に送るような構成となっている。
【００３２】
表示制御回路１５は、画像メモリ１３からの画像信号を水平クロックに同期させて１フレームのデータをデータ駆動回路１６を介してＭ本のデータ線２０に送り、さらに、垂直クロックに同期させて書込用走査駆動回路１７を介して書込用スキャン線２１に書込用走査信号を送るとともに、信号判別回路１４の出力データに基づいて電流用走査駆動回路１８を介して電流供給線２２に流す電流値を調整することによりＯＥＬＤ素子５４の発光強度を変えたりＯＥＬＤ素子５４を消光する電流調整信号を送る。
【００３３】
なお、書込用走査駆動回路１７から１つの書込用スキャン線２１に送る信号のパルス幅は、１フレーム全体の書込時間Ｔの１／Ｎ時間（Ｔ／Ｎ時間）である。
【００３４】
また、表示制御回路１５は、信号判別回路１４から静止画を示す静止画判別信号「０」が送られる場合には、図６の左側に示すように、１フレーム中の期間Ｔ中で消光することなくＯＥＬＤ素子５４を発光させるとともに電流用走査駆動回路１８、電流供給線５８を介してＯＥＬＤ素子５４に流れる電流量を低レベルの第１の値とする一方、信号判別回路１４から動画を示す動画判別信号「１」が送られる場合には、図６の右側に示すように、電流供給線５８に流れる電流量を第１の値よりも高レベルの第２の値にして発光強度を高くするとともに１フレームの期間の途中から終わりにかけて電流供給線２２の電流値を調整してＯＥＬＤ素子５４の発光を停止する消光時間を設ける。
【００３５】
即ち、動画判別信号「１」が表示制御回路１５に入力した場合には、表示制御回路１５内に設けた発光時間・発光強度変更回路１５ａによって、ＯＥＬＤ素子５４に流れる電流量を静止画表示時よりも大きくするとともに、書込用スキャン線２１への走査信号の入力開始からＴ／ｓ時間（Ｔ＜ｓ＜０）経過後に電流用走査駆動回路１８からの電流又は電圧を調整してＯＥＬＤ素子５４を１フレームの途中で消光するように構成されている。
【００３６】
上記した構成を有する表示装置１０において、書込用走査駆動回路１７から書込用スキャン線２１に印加される書込用走査信号によってスイッチ用トランジスタ５１がオンになると、データ線２０に印可された画像信号はスイッチ用トランジスタ５１を通ってストレージキャパシタ５３に電荷として蓄えられる。この電荷によって、画像信号に相当する電圧がドライブ用トランジスタ５２のゲートに１フレームの期間で印加される。
【００３７】
スイッチ用トランジスタ５１のゲートへの書込用走査信号の印加開始からＴ／Ｎ時間経過した後には書込用走査信号は低レベルになってスイッチ用トランジスタ５１がオフになるが、ストレージキャパシタ５３内の電荷の移動経路が絶たれて、ストレージキャパシタ５３の電荷は保持される。つまり、ドライブ用トランジスタ５２のゲートに印加される電圧は印加開始からＴ時間経過までほぼ同じに保持された状態となる。この場合であっても、電流用走査駆動回路１８から電流供給線２２に印加される信号が消光レベルになればＯＥＬＤ素子５４の発光は停止する。
【００３８】
このように各画素領域２３においてＯＥＬＤ素子５４は、表示制御回路１５によって発光及び消光が制御されて画像表示部１２には画像が表示される。
【００３９】
ところで、画像メモリ１３に取り込まれる画像信号は、信号判別回路１４と表示制御回路１５の２つ回路に送られる。
【００４０】
画像信号は、フレームのデータが連続して送られる信号であり、信号判別回路１４において、第１メモリ３１が取り込む信号をｎ番目のフレーム信号とすると、第２メモリ３２は（ｎ＋ｘ）番目のフレーム信号を取り込む。なお、ｘ＝１の場合は、第１メモリ３１と第２メモリ３２が前後したフレームの画像信号データを取り込むこと意味する。１フレームの画像信号のデータは、例えば１フレームでの各ＯＥＬＤ素子５４の発光を制御するためにデータ駆動回路１６に入力されるデータである。　第１メモリ３１及び第２メモリ３２の各々に蓄えられたフレーム信号のデータは比較回路３３に入力される。１つのフレーム信号は、Ｍ×Ｎ個の画素に割り当てられる画素信号データを有しており、比較回路３３はこの画素信号をｎ番目のフレーム信号のデータと（ｎ＋ｘ）番目のフレーム信号のデータとを比較し、その結果を動画・静止画判定回路３４へ出力する。
【００４１】
動画・静止画判定回路３４では、比較回路３３から出力された結果に基づいて、画像信号が動画であるか静止画であるかを判別する。この実施形態では、第１メモリ３１及び第２メモリ３２からそれぞれ出力された画像信号のデータについて比較回路３３が２０％以上同一であるとした場合には動画・静止画判定回路３４により静止画と判定され、それよりも小さい場合には動画と判別されるが、５０％以上同一である場合に文字画像と判別したり、或いは、画像表示部１９の周辺領域等、特定箇所の画素に割り当てられる信号を比較対象として一致していれば静止画と判別し、又は、映像信号をフーリエ変換して離散した信号成分が３０％以上の場合に静止画と判定し、その他は動画と判定するようにしてもよい。
【００４２】
動画・静止画判定回路３４による判定結果は表示制御回路１５へ入力される。その他に、表示制御回路１５には、画像信号、判定結果以外に水平同期信号と垂直同期信号が入力され、それぞれデータ駆動回路１６、書込用走査駆動回路１７及び電流用走査駆動回路１８にそれぞれ画像信号、書込用走査信号及び消光用走査信号が送られる。
【００４３】
ここで、動画・静止画判定回路３４の識別結果が静止画であった場合、画像信号及び書込用走査信号は１フレームに割り当てられるＴ秒間、例えば１／６０秒間で、各々のデータバスライン２０、書込用スキャン線２１に画像信号、書込用走査信号が順次送られる。書込用スキャン線２１の各々には、走査駆動回路１７から（１／６０）×（１／Ｎ）秒間で信号電圧値Ｖ１　のスキャン信号が印加される。
【００４４】
静止画である場合には、書込用スキャン線２１のそれぞれには１フレームに割り当てられる１／６０時間内では、電流用走査駆動回路１８から消光用走査信号が送られず、図６の左側に示すように、ＯＥＬＤ素子５４は１フレーム中発光し続ける。この場合のＯＥＬＤ素子５４の最大の発光強度をＬ１　とする。
【００４５】
一方、動画・静止画判別回路３４の識別結果が動画であった場合、画像信号及び書込用走査信号が画素領域１３への印加開始後、１フレーム中に１／６０秒間の前半分である１／１２０秒を経過した後に、電流用走査駆動回路１８から電流供給線２２に流される電流値を低減してＯＥＬＤ素子５４を消光させる。
【００４６】
動画表示の場合のＯＥＬＤ素子５４の１フレーム中の発光強度の積分値は、静止画表示の場合のＯＥＬＤ素子５４の１フレーム中の発光強度の積分値とほぼ同じにするように、動画表示時のデータ信号の波高値を決める。例えば、ＯＥＬＤ素子５４の実質的な発光強度が小さくなることを防止するために、動画表示時の１フレームの１／２を消光時間にあてる場合には、ＯＥＬＤ素子５４の発光強度が、動画表示時に静止画像表示時の２倍となるようにデータ駆動回路１６からのＯＥＬＤ素子５４への電流値若しくは電圧値を補正する。
【００４７】
この場合、１フレームの表示時間Ｔ中の各ＯＥＬＤ素子５４の発光時間をＴＯＮとし、消光時間をＴＯＦＦ　（ＴＯＦＦ　＝Ｔ−ＴＯＮ）とし、静止画表示時のＯＥＬＤ素子５４の発光強度をＬ１　とすると、動画表示の時のＯＥＬＤ素子５４の発光強度Ｌ２　がＬ２　＝Ｌ１　×（ＴＯＮ＋ＴＯＦＦ　）／ＴＯＮとなるようにＯＥＬＤ素子５４に印加する電圧値又は電流値を変更してもよい。この場合、電流供給線５８と共通電位線５７の間の電流値又は電圧値を変更してＯＥＬＤ素子５４の発光強度を変える。
【００４８】
ＯＥＬＤ素子５４の発光強度を切り換える場合には、これに加えて、画像信号のγ値を動画表示に適した値に補正しても良い。γ値は、シグナル強度と輝度の関係を示す値であり、動画と静止画とで視覚的に感じる輝度が異なるために、補正の補正が必要になることがある。
【００４９】
従って、表示装置１０において、静止画表示時には、１フレーム中で電流供給線２２を低いレベルに保持してＯＥＬＤ素子５４の発光させる一方で、動画表示時には、１フレームの途中で電流供給線２２に消去用走査信号を印加してＯＥＬＤ素子５４を強制的に消光させるとともにＯＥＬＤ素子５４に流れる電流値を大きくして輝度を高くするようにしているので、見かけ上の表示画像の明るさを低下させずに、静止画、動画の如何にかかわらずに常に画像のエッジをたたせて画像のぼけが改善される。動画表示の場合には、発光強度が上昇し且つ１フレームの途中で消光されるので、発光積分量が静止画表示時とほぼ同じなってエッジをたたせることができる。一方、静止画の場合には、消光時間を設けていないが前のフレームの残像が視覚的に残ってもなんら悪影響はなく、この場合にもエッジがたつことになる。この結果、表示装置におけるＯＥＬＤ素子５４の劣化が抑制されて、表示装置の寿命が延びる。
【００５０】
なお、信号判別回路１４の判断が動画から静止画に代わる場合、又は静止画から動画に代わる場合には、（ｎ＋ｘ＋１）フレーム目からデータ信号の電圧値又は電流値を変更し、同時に消去用走査信号を変更することになる。また、上記した構成は液晶表示装置、その他の平面表示装置に適用してもよく、液晶表示装置の場合には、ＯＥＬＤ素子の代わりに画素電極、液晶及び共通電極が用いられることになる。
（付記１）複数のスキャン線と複数のデータ線の交差領域にそれぞれ配置され且つ画素電極を有する光放出素子と該光放出素子への信号をオン、オフする能動素子とを有する表示パネルと、
前記データ線にデータ信号を印加するデータ駆動回路と、
前記スキャン線に走査信号を印加する走査駆動回路と、
異なるフレームの画像信号のデータを比較して静止画か動画のいずれかを判別して静止画と動画のいずれかの判別信号を出力する信号判別回路と、
前記信号判別回路からの前記判別信号が前記静止画の場合には１フレーム中の前記光放出素子の光放出の強度を第１の値に設定し、前記判別信号が前記動画の場合には１フレーム中の途中で前記光放出素子の光放出を停止して消光するとともに前記光放出素子の光放出の強度を前記第１の値よりも高い第２の値に設定する信号を前記走査駆動回路に送る制御回路と
を有することを特徴とするアクティブマトリクス型表示装置。
（付記２）前記光放出素子は有機発光素子であることを特徴とする付記１に記載のアクティブマトリクス型表示装置。
（付記３）前記判別信号が前記動画の場合の前記光放出の前記第２の値は、前記１フレーム中における前記途中までの発光時間とその後の前記消光の時間の和を前記発光時間で割った値に前記第１の値をかけた大きさであることを特徴とする付記２に記載のアクティブマトリクス型表示装置。
（付記４）前記光放出素子には画像データを蓄積するキャパシタが接続されていることを特徴とする付記１乃至付記３のいずれかに記載のアクティブマトリクス型表示装置。
（付記５）前記信号判別回路からの信号に基づいて、前記光放出素子に印加する電圧又は電流を変化させて前記光放出素子の前記光放出量を制御する光放出強度変更回路が前記制御回路に設けられていることを特徴とする付記１乃至付記４のいずれかに記載のアクティブマトリクス型表示装置。
（付記６）前記制御回路は、前記消光の際には、前記画像信号のγ値も変化させることを特徴とする付記１乃至付記５のいずれかに記載のアクティブマトリクス型表示装置。
（付記７）前記光放出素子のうち前記能動素子が接続されない電極には電流供給線が接続されていることを特徴とする付記１乃至付記６のいずれかに記載のアクティブマトリクス型表示装置。
（付記８）前記光放出素子は、液晶を有する構造を有することを特徴とする付記１に記載のアクティブマトリクス型表示装置。
【００５１】
【発明の効果】
以上述べたように本発明によれば、動画と静止画を識別し、動画を表示する場合は消光時間を設け且つ光放出素子の発光強度を高くし、静止画を表示する場合は消光時間を設けずに光放出素子の発光強度を小さくするような制御回路を設けたので、表示パネルへの電流又は電圧の大きさを抑える時間を確保することにより光放出素子の劣化を抑制するとともに、動画像及び静止画を表示するときのエッジぼけの現象を解消することができる。
【図面の簡単な説明】
【図１】図１は、従来の表示装置の画素領域の構成を示す回路図である。
【図２】図２（ａ）　は、従来の表示装置の１フレームの改善前のＯＥＬＤの発光強度を示す波形図、図２（ｂ）　は、従来の表示装置の１フレームの改善後のＯＥＬＤの発光強度を示す波形図である。
【図３】図３は、本発明の実施形態に係るアクティブマトリクス型表示装置を示す構成図である。
【図４】図４は、本発明の実施形態に係るアクティブマトリクス型表示装置に設けられる信号判別回路内の構成を示すブロック図である。
【図５】図５は、本発明の実施形態に係るアクティブマトリクス型表示装置の画素領域の回路図である。
【図６】図６は、本発明の実施形態に係るアクティブマトリクス型表示装置の静止画表示の際の１フレームのＯＥＬＤの発光強度と、動画表示の際の１フレームのＯＥＬＤの発光強度とを示す波形図である。
【符号の説明】
１０…表示装置、１２…表示パネル、１３…画像メモリ、１４…信号判別回路、１５…表示制御回路、１６…データ駆動回路、１７…書込用走査駆動回路、１８…消光用走査駆動回路、２０…データ線、２１…書込用スキャン線、２２…消光用スキャン線。
【図１】
2004144928.tif 000003
【図２】
2004144928.tif 000004
【図３】
2004144928.tif 000005
【図４】
2004144928.tif 000006
【図５】
2004144928.tif 000007
【図６】
2004144928.tif 000008